(57)【要約】      （修正有）【課題】着脱可能なヘッド部を備える自動水栓装置においても、外観を損なうことなく、吐水および止水の動作と連続吐出の動作とを個別に対応しうる自動水栓装置を提供する。【解決手段】自動水栓装置１０は、受け部４０と、受け部４０に対して着脱可能に設けられる吐水ヘッド部３０とを備える。受け部４０には、非接触センサ４６４が配置される。また、吐水ヘッド部３０および受け部４０の少なくともいずれか一方に、人体の一部を接触させるために配置され、導電性の材料により形成される静電検出領域３２４、４２４がそれぞれ配置される。制御基板８０Ａは、少なくとも、静電検出領域４２４と静電検出領域３２４とが電気的に接続され、静電検出領域４２４における静電容量の変化を検出するための静電検出回路と、非接触センサ４６４または静電検出回路から出力される信号により吐水状態の制御を行う制御マイコンを備える。【選択図】図２
2019203258.tif 000002
【特許請求の範囲】
【請求項１】
受け部と、
前記受け部に対して着脱可能に設けられる吐水ヘッド部と、
前記受け部に配置される非接触センサと、
前記吐水ヘッド部および前記受け部の少なくともいずれか一方に、人体の一部を接触させるために配置され、導電性の材料により形成される静電検出領域と、
前記静電検出領域と電気的に接続され、前記静電検出領域における静電容量の変化を検出するための静電検出部と、
前記非接触センサまたは前記静電検出部から出力される信号により吐水状態の制御を行う制御部と、
を備える、自動水栓装置。
【請求項２】
前記吐水ヘッド部および前記受け部のそれぞれに前記静電検出領域が配置され、
前記受け部に配置される前記静電検出領域と前記静電検出部とが電気的に接続され、かつ
前記吐水ヘッド部に配置される前記静電検出領域と前記受け部に配置される前記静電検出領域とが電気的に接続される、請求項１に記載の自動水栓装置。
【請求項３】
前記吐水ヘッド部および前記受け部のそれぞれに前記静電検出領域が配置され、
前記受け部に配置される前記静電検出領域と前記静電検出部とが電気的に接続され、かつ
前記吐水ヘッド部に配置される前記静電検出領域と前記受け部に配置される前記静電検出領域との間を電気的に絶縁するための絶縁部が設けられ、前記吐水ヘッド部に配置される前記静電検出領域と前記受け部に配置される前記静電検出領域との間で容量結合される、請求項１に記載の自動水栓装置。
【請求項４】
前記吐水ヘッド部の少なくとも外表面は導電性の材料により形成され、前記ヘッド部において導電性の材料により形成された部分が、前記ヘッド部に配置される前記静電検出領域である、請求項１ないし請求項３のいずれかに記載の自動水栓装置。
【請求項５】
前記受け部の少なくとも外表面は導電性の材料により形成され、前記受け部において導電性の材料により形成された部分が、前記受け部に配置される前記静電検出領域である、請求項１ないし請求項４のいずれかに記載の自動水栓装置。
【請求項６】
前記吐水ヘッド部は吐出口を有し、
前記非接触センサは、前記吐出口に近接して配置される、請求項１ないし請求項５のいずれかに記載の自動水栓装置。
【請求項７】
前記吐出口の外周縁に操作部が配置され、
前記非接触センサは、前記操作部の後方で、かつ前記操作部から所定の間隔を設けて配置される、請求項１ないし請求項６のいずれかに記載の自動水栓装置。
【請求項８】
前記制御部は、
前記非接触センサが信号を検出した場合、前記静電検出部の機能を停止するように制御し、
前記静電検出部が信号を検出した場合、前記非接触センサの機能を停止するように制御する、請求項１ないし請求項７のいずれかに記載の自動水栓装置。
【請求項９】
前記吐水ヘッド部が前記受け部から引き出されたことを検出するための引出判定部を備える、請求項１ないし請求項８のいずれかに記載の自動水栓装置。
【発明の詳細な説明】
【技術分野】
【０００１】
本発明は、着脱可能なヘッド部を備える自動水栓装置に関するものである。
【背景技術】
【０００２】
従来の着脱可能なヘッド部を備える自動水栓として、特許文献１に記載されるような自動水栓が提案されている（特許文献１を参照）。特許文献１に記載の自動水栓は、吐水口を備えた吐水部を有する着脱可能なヘッド部と、吐水口よりも下方の検知領域内の物体を検知する検知センサ部と、検知センサ部からの検知信号に基づいて吐水と止水を自動制御するための制御部とを備えた自動水栓が開示されている。また、特許文献１に記載の自動水栓は、連続吐水するために、手動操作部を備える。
【０００３】
特許文献１に記載の自動水栓では、使用者が吐水口付近に手をかざすことで、検知センサ部がこれを検知し、吐水させることができる。
一方、使用者がヘッド部を引き出して連続吐水する場合は、手動操作部に備えられた手動操作レバーを、手動で上下方向に傾動させる。
【０００４】
また、自動的に吐水や止水を行う非接触型センサと、連続して吐水を行うための接触型センサとを備えた自動水栓装置が提案されている（特許文献２を参照）。特許文献２に記載の自動水栓装置は、所定方向に向けて赤外光を投光し、その反射光によって人体の有無を検出する光電センサ（非接触型センサ）をセンサケースに収納し、そのセンサケース内に、水栓全体を経由した大地との静電容量の変化によって水栓全体への人体の接触を検出する静電容量センサ（接触型センサ）を収納したうえで、そのセンサケースを水栓本体の先端部に設置している。
【０００５】
特許文献２に記載の自動水栓装置では、手洗いなどの場合は、光電センサにより、利用者が水栓本体の吐水口前方に手を差し出すだけで、手が差し出されたことを光電センサにより検知し、吐水および止水を行うようにし、水汲みや水溜等で連続して吐水させたい場合は、静電容量センサに触れることで吐水させる。
【先行技術文献】
【特許文献】
【０００６】
【特許文献１】特開２０１５−１０５５１７号公報
【特許文献２】特開２００９−２９９２９３号公報
【発明の概要】
【発明が解決しようとする課題】
【０００７】
しかしながら、特許文献１に記載の自動水栓では、連続吐水は、手動操作で行うことが前提となっており、操作が煩雑になり、利便性にかけるという問題があった。
【０００８】
また、特許文献２に記載の自動水栓装置では、センサケースに接触・非接触センサが配置されるため、配線が複雑であり、ヘッド部が引き出される水栓装置の場合、ヘッド部にこのようなセンサケースを配置することは困難であり、実現し難い問題があった。また、受け部側にセンサケースを配置しようとした場合、センサケースは、吐水口付近に配置する必要があるところ、このように配置すると、受け部からセンサケースが吐水口付近まで延びた形となり、ヘッド部の収納性が損なわれる問題があった。
【０００９】
それゆえに、この発明の主たる目的は、着脱可能なヘッド部を備える自動水栓装置においても、外観を損なうことなく、吐水および止水の動作と連続吐出の動作とを個別に対応しうる自動水栓装置を提供することである。
【課題を解決するための手段】
【００１０】
この発明にかかる自動水栓装置は、受け部と、受け部に対して着脱可能に設けられる吐水ヘッド部と、受け部に配置される非接触センサと、吐水ヘッド部および受け部の少なくともいずれか一方に、人体の一部を接触させるために配置され、導電性の材料により形成される静電検出領域と、静電検出領域と電気的に接続され、静電検出領域における静電容量の変化を検出するための静電検出部と、非接触センサまたは静電検出部から出力される信号により吐水状態の制御を行う制御部と、を備える、自動水栓装置である。
また、この発明にかかる自動水栓装置は、吐水ヘッド部および受け部のそれぞれに静電検出領域が配置され、受け部に配置される静電検出領域と静電検出部とが電気的に接続され、かつ吐水ヘッド部に配置される静電検出領域と受け部に配置される静電検出領域とが電気的に接続されることが好ましい。
さらに、この発明にかかる自動水栓装置は、吐水ヘッド部および受け部のそれぞれに静電検出領域が配置され、受け部に配置される静電検出領域と静電検出部とが電気的に接続され、かつ吐水ヘッド部に配置される静電検出領域と受け部に配置される静電検出領域との間を電気的に絶縁するための絶縁部が設けられ、吐水ヘッド部に配置される静電検出領域と受け部に配置される静電検出領域との間で容量結合されることが好ましい。
さらにまた、この発明にかかる自動水栓装置は、吐水ヘッド部の少なくとも外表面は導電性の材料により形成され、吐水ヘッド部において導電性の材料により形成された部分が、吐水ヘッド部に配置される静電検出領域であることが好ましい。
また、この発明にかかる自動水栓装置は、受け部の少なくとも外表面は導電性の材料により形成され、受け部において導電性の材料により形成された部分が、受け部に配置される静電検出領域であることが好ましい。
さらに、この発明にかかる自動水栓装置は、吐水ヘッド部が吐出口を有し、非接触センサが吐出口に近接して配置されることが好ましい。
また、この発明にかかる自動水栓装置は、吐出口の外周縁に操作部が配置され、非接触センサが、操作部の後方で、かつ操作部から所定の間隔を設けて配置されることが好ましい。
さらに、この発明にかかる自動水栓装置は、制御部が非接触センサが信号を検出した場合、静電検出部の機能を停止するように制御し、静電検出部が信号を検出した場合、非接触センサの機能を停止するように制御することが好ましい。
また、この発明にかかる自動水栓装置は、吐水ヘッド部が受け部から引き出されたことを検出するための引出判定部を備えることが好ましい。
【００１１】
この発明にかかる自動水栓装置によれば、受け部に配置される非接触センサと、吐水ヘッド部および受け部の少なくともいずれか一方に、人体の一部を接触させるために配置され、導電性の材料により形成される静電検出領域と、静電検出領域と電気的に接続され、静電検出領域における静電容量の変化を検出するための静電検出部とを備えるので、吐水ヘッド部に配置される静電検出領域あるいは受け部に配置される静電検出領域に人体の一部を触れるたびに、吐水／止水を切り替えることができる（いわゆるトグル式）ことより、容易に連続して吐水させ、止水させることができ、さらに、非接触センサが、検知領域における物体を検出している間、吐水状態を維持し、検出しなくなると止水するので、手洗い等を行う場合は、吐水／止水の操作を行うことなく、吐水状態とすることができる。
また、この発明にかかる自動水栓装置によれば、吐水ヘッド部および受け部のそれぞれに静電検出領域が配置され、受け部に配置される静電検出領域と静電検出部とが電気的に接続され、かつ吐水ヘッド部に配置される静電検出領域と受け部に配置される静電検出領域とが電気的に接続されていると、受け部に配置される静電検出領域のみが静電検出部と電気的に接続されている場合であっても、吐水ヘッド部に配置される静電検出領域あるいは受け部に配置される静電検出領域のいずれに触れても吐水／止水の操作をすることができる。
さらに、この発明にかかる自動水栓装置によれば、吐水ヘッド部および受け部のそれぞれに静電検出領域が配置され、受け部に配置される静電検出領域と静電検出部とが電気的に接続され、かつ吐水ヘッド部に配置される静電検出領域と受け部に配置される静電検出領域との間を電気的に絶縁するための絶縁部が設けられ、吐水ヘッド部に配置される静電検出領域と受け部に配置される静電検出領域との間で容量結合されていると、吐出ヘッド部が受け部から引き出されるか否かで、静電検出部で検出する静電容量の違いが生じるので、吐出ヘッド部が受け部から引き出されるか否かの手段を別途備えることなくその判定をすることができる。
また、さらに、この発明にかかる自動水栓装置によれば、吐水ヘッド部の少なくとも外表面が導電性の材料により形成され、吐水ヘッド部において導電性の材料により形成された部分が、ヘッド部に配置される静電検出領域であると、それ自体が電極の機能を有するため、複雑な配線をする必要がない。同様に、受け部の少なくとも外表面が導電性の材料により形成され、受け部において導電性の材料により形成された部分が、受け部に配置される静電検出領域であると、それ自体が電極の機能を有するため、複雑な配線をする必要がない。
さらに、この発明にかかる自動水栓装置によれば、吐水ヘッド部が吐出口を有し、非接触センサが吐出口に近接して配置されると、より精度よく、人体の一部、たとえば、手等が、検知領域に差し出されたことを検出することができる。
また、この発明にかかる自動水栓装置によれば、吐出口の外周縁に操作部が配置され、非接触センサは、操作部の後方で、かつ操作部から所定の間隔を設けて配置されるので、非接触センサに干渉することを回避しつつ、操作部を操作することができる。
さらに、この発明にかかる自動水栓によれば、制御部が非接触センサが信号を検出した場合、静電検出部の機能を停止するように制御し、静電検出部が信号を検出した場合、非接触センサの機能を停止するように制御すると、いずれのセンサが同時に検出することを回避することができる。
また、この発明にかかる自動水栓装置によれば、吐水ヘッド部が受け部から引き出されたことを検出するための引出判定部を備えると、吐水ヘッド部が引き出されたことによる制御条件の変化について、確実に対応することができる。
【発明の効果】
【００１２】
この発明によれば、着脱可能なヘッド部を備える自動水栓装置においても、外観を損なうことなく、吐水および止水の動作と連続吐出の動作とを個別に対応しうる自動水栓装置を提供することができる。
【００１３】
この発明の上述の目的、その他の目的、特徴及び利点は、図面を参照して行う以下の発明を実施するための形態の説明から一層明らかとなろう。
【図面の簡単な説明】
【００１４】
【図１】この発明にかかる自動水栓装置の設置状態の一例を示す外観斜視図である。
【図２】この発明にかかる自動水栓装置の全体構成の一例を示す図である。
【図３ａ】この発明の第１の実施の形態にかかる自動水栓装置の自動水栓本体であって、吐水ヘッド部が受け部に嵌め込まれた状態を示す外観斜視図である。
【図３ｂ】この発明の第１の実施の形態にかかる自動水栓装置の自動水栓本体であって、吐水ヘッド部が受け部に嵌め込まれた状態を示し、さらに別の方向からみた外観斜視図である。
【図４ａ】この発明の第１の実施の形態にかかる自動水栓装置の自動水栓本体であって、吐水ヘッド部から受け部が引き出された状態を示す外観斜視図である。
【図４ｂ】この発明の第１の実施の形態にかかる自動水栓装置の自動水栓本体であって、吐水ヘッド部から受け部が引き出された状態を示し、さらに別の方向からみた外観斜視図である。
【図５】（ａ）は、この発明の第１の実施の形態にかかる自動水栓本体を模式的に示す模式図であり、（ｂ）は、（ａ）について吐水ヘッド部を受け部から引き出した状態の自動水栓本体を模式的に示す模式図である。
【図６】この発明の第１の実施の形態かかる制御基板の構成を示すブロック図である。
【図７】図１に示す自動水栓本体を構成する吐水ヘッド部および受け部の側面図である。
【図８】図１に示す自動水栓本体を構成する吐水ヘッド部および受け部の正面図である。
【図９】図１に示す自動水栓本体を構成する吐水ヘッド部および受け部の背面図である。
【図１０】図１に示す自動水栓本体を構成する吐水ヘッド部および受け部の上面図である。
【図１１】図１に示す自動水栓本体を構成する吐水ヘッド部および受け部の底面図である。
【図１２ａ】図１に示す自動水栓本体を構成する吐水ヘッド部の分解斜視図である。
【図１２ｂ】図１に示す自動水栓本体を構成する吐水ヘッド部のさらに別の方向からみた分解斜視図である。
【図１３ａ】図１に示す自動水栓本体を構成する受け部の分解斜視図である。
【図１３ｂ】図１に示す自動水栓本体を構成する受け部のさらに別の方向からみた分解斜視図である。
【図１４】（ａ）は、この発明の第１の実施の形態の変形例にかかる自動水栓本体を模式的に示す模式図であり、（ｂ）は、（ａ）について吐水ヘッド部を受け部から引き出した状態の自動水栓本体を模式的に示す模式図である。
【図１５ａ】この発明の第２の実施の形態にかかる自動水栓装置の自動水栓本体であって、吐水ヘッド部が受け部に嵌め込まれた状態を示す外観斜視図である。
【図１５ｂ】この発明にかかる第２の実施の形態にかかる自動水栓装置の自動水栓本体であって、吐水ヘッド部が受け部に嵌め込まれた状態を示し、さらに別の方向からみた外観斜視図である。
【図１６】（ａ）は、この発明の第２の実施の形態にかかる自動水栓本体を模式的に示す模式図であり、（ｂ）は、（ａ）について吐水ヘッド部を受け部から引き出した状態の自動水栓本体を模式的に示す模式図である。
【図１７】この発明の第２の実施の形態かかる制御基板の構成を示すブロック図である。
【図１８ａ】この発明の第３の実施の形態にかかる自動水栓装置の自動水栓本体であって、吐水ヘッド部が受け部に嵌め込まれた状態を示す外観斜視図である。
【図１８ｂ】この発明にかかる第３の実施の形態にかかる自動水栓装置の自動水栓本体であって、吐水ヘッド部が受け部に嵌め込まれた状態を示し、さらに別の方向からみた外観斜視図である。
【図１９】（ａ）は、この発明の第３の実施の形態にかかる自動水栓本体を模式的に示す模式図であり、（ｂ）は、（ａ）について吐水ヘッド部を受け部から引き出した状態の自動水栓本体を模式的に示す模式図である。
【図２０】この発明の第３の実施の形態かかる制御基板の構成を示すブロック図である。
【発明を実施するための形態】
【００１５】
以下、添付図面を参照して本発明の実施の形態について説明する。なお、以下に示す実施の形態は、本発明を具体化した一例であって、本発明の技術的範囲を限定するものではない。
【００１６】
図１は、この発明にかかる自動水栓装置の設置状態の一例を示す外観斜視図である。図２は、この発明にかかる自動水栓装置の全体構成の一例を示す図である。この発明にかかる自動水栓装置１０は、たとえば、洗面化粧台などに設置される。
【００１７】
なお、以下において、図１に示すように、自動水栓装置１０の自動水栓本体２０Ａが取り付けられる壁Ｗから吐出口が配置される方向が前方向と定義し、壁Ｗ側が後方向と定義する。また、水が吐出される方向を下方向と定義し、その反対方向を上方向と定義する。また、使用者が壁Ｗに向かって右側を右方向と定義し、左側を左方向と定義する。
【００１８】
１．第１の実施の形態
（ａ）自動水栓装置
この発明にかかる自動水栓装置１０は、図２に示すように、自動水栓本体２０Ａと、自動水栓本体２０Ａから吐水される水の温度を操作するための温度調整部６０と、自動水栓本体２０Ａが吐水するための配管を構成する配管部７０と、自動水栓本体２０Ａの吐水状態を制御するための制御基板８０Ａとにより構成される。
【００１９】
次に、自動水栓装置１０を構成する自動水栓本体２０Ａについて説明する。
図３ａは、この発明の第１の実施の形態にかかる自動水栓装置の自動水栓本体であって、吐水ヘッド部が受け部に嵌め込まれた状態を示す外観斜視図である。図３ｂは、この発明の第１の実施の形態にかかる自動水栓装置の自動水栓本体であって、吐水ヘッド部が受け部に嵌め込まれた状態を示し、さらに別の方向からみた外観斜視図である。図４ａは、この発明の第１の実施の形態にかかる自動水栓装置の自動水栓本体であって、吐水ヘッド部から受け部が引き出された状態を示す外観斜視図である。図４ｂは、この発明の第１の実施の形態にかかる自動水栓装置の自動水栓本体であって、吐水ヘッド部から受け部が引き出された状態を示し、さらに別の方向からみた外観斜視図である。図５（ａ）は、この発明の第１の実施の形態にかかる自動水栓本体を模式的に示す模式図であり、図５（ｂ）は、図５（ａ）について吐水ヘッド部を受け部から引き出した状態の自動水栓本体を模式的に示す模式図である。図６は、この発明の第１の実施の形態かかる制御基板の構成を示すブロック図である。
図７は、図１に示す自動水栓本体を構成する吐水ヘッド部および受け部の側面図である。図８は、図１に示す自動水栓本体を構成する吐水ヘッド部および受け部の正面図である。図９は、図１に示す自動水栓本体を構成する吐水ヘッド部および受け部の背面図である。図１０は、図１に示す自動水栓本体を構成する吐水ヘッド部および受け部の上面図である。図１１は、図１に示す自動水栓本体を構成する吐水ヘッド部および受け部の底面図である。
図１２ａは、図１に示す自動水栓本体を構成する吐水ヘッド部の分解斜視図である。図１２ｂは、図１に示す自動水栓本体を構成する吐水ヘッド部のさらに別の方向からみた分解斜視図である。図１３ａは、図１に示す自動水栓本体を構成する受け部の分解斜視図である。図１３ｂは、図１に示す自動水栓本体を構成する受け部のさらに別の方向からみた分解斜視図である。
【００２０】
（ｂ）自動水栓本体
自動水栓本体２０Ａは、吐水ヘッド部３０と、吐水ヘッド部３０を着脱可能に配置するための受け部４０とを備える。
【００２１】
（ｂ−１）吐水ヘッド部
吐水ヘッド部３０は、たとえば、ボウル（図示せず）に離間して対向しており、そのボウルに向かって水を吐出する機能を有する。
吐水ヘッド部３０は、ヘッド用外形部材３２とヘッド用基部３４とにより構成される。
【００２２】
ヘッド用外形部材３２は、たとえば合成樹脂により薄肉厚に形成され、その内部にヘッド用基部３４が配置しうるような空間を設けて一体に形成される。また、ヘッド用外形部材３２は、側面視Ｌ字形状に形成される。そして、ヘッド用外形部材３２は、その外面および内面の全面に導電性を有する材料によりめっき処理されることで、静電検出領域３２４が配置される。なお、吐水ヘッド部３０に配置された静電検出領域３２４は、必ずしもヘッド用外形部材３２の全面に配置されていなくてもよい。静電検出領域３２４は、電極としての機能を有する。
ヘッド用外形部材３２は、その先端側（受け部４０とは反対側）に配置される吐水部３２０と、吐水部３２０に連設された把持部３２２とを有する。
【００２３】
吐水部３２０は、略円筒状に形成され、その一方端側において、前方向で、かつ下方に向かって吐水用開口部３２０ａが形成される。吐水用開口部３２０ａには、操作部材３２０ｂの一部が挿入され、回転可能に配置される。
【００２４】
操作部材３２０ｂは、吐水ヘッド部３０における吐水状態を散水（シャワー）状態または非散水状態を切り替えるための機能を有する。操作部材３２０ｂは、上側操作用筒部３２０ｂ１と上側操作用筒部３２０ｂ１よりも径が大きい下側操作用筒部３２０ｂ２が連設されて段付きの略円筒状に形成される。上側操作用筒部３２０ｂ１の径は、吐水用開口部３２０ａの内径に嵌めこみ可能な大きさである。また、下側操作用筒部３２０ｂ２の外側面には、操作用突部３２０ｂ３が突設され、たとえば、これを用いて回転操作して吐水状態を容易に切り替えることができる。下側操作用筒部３２０ｂ２の下側の開口される部分の内部には、吐水口部材３２０ｃが配置される。したがって、吐出口部材３２０ｃの外周縁に操作部材３２０ｂの下側操作用筒部３２０ｂ２が配置される。
【００２５】
吐水口部材３２０ｃの中央部には、略筒状の単一の吐水孔３２０ｃ１が形成され、吐水孔３２０ｃ１の周囲に配置される散水板には、吐水孔３２０ｃ２の直径よりも小さい直径を有する複数の散水孔３２０ｃ２が形成される。
【００２６】
把持部３２２は、略円筒状に形成され、その一方端側は吐水部３２０と連接され、他方端側に位置する後面は開口しており、ヘッド用基部３４が挿入される被挿入部３２２ａが形成される。また、把持部３２２の下面側の略中央には左右方向に略矩形の開口孔３２２ｂが形成される。開口孔３２２ｂは、後述するホース保持部３４２においてホース５０を固定する際に利用される。
【００２７】
ヘッド用基部３４は、たとえば、合成樹脂により形成され、通水路案内部３４０と、通水路案内部３４０に連設されるホース保持部３４２と、さらにホース保持部３４２に連設される接続部３４４とを備える。
ヘッド用基部３４における通水路案内部３４０とホース保持部３４２の上面側において、補強リブ３４ａが形成される。ヘッド用基部３４をヘッド用外形部材３２の内部に配置したとき、補強リブ３４ａがヘッド用外形部材３２の内面に接することで、ヘッド用基部３４がヘッド用外形部材３２の内部でガタツキなく配置させるために設けられる。
【００２８】
通水路案内部３４０の内部には、通水路（図示せず）が形成される。通水路案内部３４０の吐水部３４２側（ホース保持部３４２に連設される反対側）には、開口部３４０ａが形成される。吐水部３２０の内部において、開口部３４０ａには、操作部材３２０ｂが接するように配置される。
【００２９】
ホース保持部３４２は、ホース５０の端部を保持するために設けられる。そして、ヘッド用基部３４のホース保持部３２４の内部において保持されるホース５０が、ホース保持部３４２からヘッド用基部３４の後部に位置する接続部３４４を介して受け部４０に向かって引出される。ホース５０の端部は、ホース保持部３４２の内部で保持されるので、吐水ヘッド部３０を受け部４０から引き出されると、ホース５０も吐水ヘッド部３０に追従して引き出すことができる。また、ホース保持部３４２の外周には、ヘッド用外形部材３２の内面に接するようにフランジ３４２ａが設けられる。ホース保持部３４２の後端側に、受け部４０と接続するための接続部３４４が連設される。
【００３０】
接続部３４４は、受け部４０と接続するために設けられる。したがって、ヘッド用基部３４の接続部３４４の内部において、後述する受け部４０の雄嵌合部４４４と接続するための断面円形状の雌嵌合部３４６が設けられる。この雌嵌合部３４６の内周面である雌嵌合面の上側には、周方向に沿ってたとえば、３０度の円周角で、複数（たとえば、５個）の凹部３４６ａが形成され、下側の一部に連続的に凹凸形状により形成される雌セレーション部３４６ｂが設けられる。
【００３１】
また、接続部３４４の前端側の外周には、ヘッド用外形部材３２の内面に接するように第１のフランジ３４４ａが設けられ、接続部３４４の後端側の外周には、ヘッド用外形部材３２の内面に接するように第２のフランジ３４４ｂが設けられる。
【００３２】
（ｂ−２）受け部
受け部４０は、吐水ヘッド部３０が嵌め込まれて、それを保持するとともに、ホース５０を挿通するために設けられる。
受け部４０は、受け用外形部材４２と、受け用基部４４と、非接触センサ保持用部材４６とにより構成される。
【００３３】
受け用外形部材４２は、たとえば、合成樹脂により薄肉厚に形成され、その内部に受け用基部４４を配置しうるような空間を設けて一体に形成される。そして、受け用外形部材４２は、その外面および内面の全面に導電性を有する材料によりめっき処理されることで、静電検出領域４２４が配置される。受け部４０に配置される静電検出領域４２４は、後述する静電検出回路８２と、静電検出用ケーブル８２０を用いて電気的に接続される。なお、受け用外形部材４２に配置された静電検出領域４２４は、必ずしも受け用外形部材４２の全面に配置されていなくてもよい。静電検出領域４２４は、電極としての機能を有する。
受け用外形部材４２は、受け本体部４２０と、受け本体部４２０に突設される非接触センサ収容部４２２とを有する。
【００３４】
受け本体部４２０は、上側が円弧状とした略直方体状に形成され、受け用基部４４の大部分をその内部に配置させるための空間を設けて形成される。受け本体部４２０の一方端側である前面４２６の上側には、後述する受け用基部４４に形成される雄嵌合部４４４を挿入しうる雄嵌合用開口部４２６ａが形成される。受け本体部４２０の他方端側である後側は開口しており、受け用基部４４が挿入される被挿入部４２８が形成される。
また、受け本体部４２０の下面４３０の後側には、受け用基部４４に非接触センサ保持部材４６を固定するための取付用孔４３０ａが形成される。取付用孔４３０ａのさらに後側であって、被挿入部４２８の下端縁において、配線案内部４３０ｂが形成される。
また、受け本体部４２０の前面４２６の下側には、非接触センサ収容部４２２が突設される。
【００３５】
非接触センサ収容部４２２は、後述される非接触センサ４６４を保持する非接触センサ保持部材４６の先端側をその内部に配置させるための空間を設けて形成される。非接触センサ収容部４２２の吐出ヘッド部３０側には、その先端に、非接触センサ４６４による検出を行うためのセンサ用開口部４２２ａが形成される。センサ用開口部４２２ａは、吐出口３２０に近接して配置され、前方向に、かつ下方に向かって開口されている。さらに、図７に示すように、非接触センサ収容部４２２は、操作部材３２０の後方で、かつ、操作部材３２０から所定の間隔Ｄを設けて配置される。このように所定の間隔Ｄが設けられるため、操作部材３２０により吐水状態を切り替える場合、操作部材３２０や操作部材３２０を回転するための手（指）が、非接触センサ収容部４２２に干渉することを回避しうる。
【００３６】
受け用基部４４は、たとえば、合成樹脂により、上側が円弧状とした略直方体状に形成され、その一方端側である前面４４０における上側の略中央部には、吐出ヘッド部３０側に向かって前方に突出する円筒形状の雄嵌合部４４２が一体に設けられる。この雄嵌合部４４２の外周面である雄嵌合面の上側には、周方向沿って、たとえば、３０度の円周角で、複数（たとえば、３個）の凸部４４２ａが形成され、下側の一部に連続的に凹凸形状により形成される雄セレーション部４４２ｂが設けられる。
【００３７】
また、受け用基部４４の内部における上部側には、雄嵌合部４４２から受け用基部４４の他方端側である後面４４４に向かって、その内部に挿通孔４４６が形成される。挿通孔４４６は、ホース５０の一部が引出自在に挿通される。受け用基部４４の上面側には、前後方向に延びる半円筒状の取付部材挿入用溝４４８が形成される。取付部材挿入用溝４４８の後端側は、後述する取付用孔４４４ｄの一つが形成される。また、受け用基部４４の下部側には、非接触センサ保持部材４６を格納させるための略直方体状の空間である保持部材空間部４５０が設けられる。
【００３８】
受け用基部４４の後面４４４には、その上部側に形成され、挿通孔４４６に接続される開口部４４４ａと、開口部４４４ａに連続してその下側に、非接触センサ用保持部材４６に配置される非接触センサ４６４からの非接触センサ用ケーブル８４０を挿通するための配線用開口部４４４ｂとが形成される。配線用開口部４４４ｂのさらに下部において、配線案内溝４４４ｃが形成される。また、受け用基部４４の後面４４４には、受け部４０をネジ等により取り付けるための取り付けるための複数（たとえば、３個）の取付用孔４４４ｄが形成される。
【００３９】
受け用基部４４の内部における下部側に形成される保持部材空間部４５０は、略直方体状の空間に形成される。保持部材空間部４５０は、非接触センサ保持部材４６を、その内部で保持するために設けられる。保持部材空間部４５０は、少なくとも、後述する非接触センサ保持部材４６を構成するセンサケーブル収納部４６２を配置させるための空間として形成される。
【００４０】
受け用基部４４の下面４５２の後側には、ネジ等の取付部材により受け用基部４４に非接触センサ保持部材４６を固定するための取付用孔４５２ａが形成される。
【００４１】
非接触センサ保持部材４６は、非接触センサ収納部４６０とセンサ用ケーブル収納部４６２とにより構成される。非接触センサ保持部材４６は、たとえば、半透明のアクリルにより形成される。非接触センサ収納部４６０は、非接触センサ４６４を収納するために設けられる。非接触センサ収納部４６０は、上部側が開口された略直方体状の空間として形成される。そして、非接触センサ収納部４６０において、吐水ヘッド部３０の吐水口３２０に近接する側には、センサ検出用窓部４６０ａが、前方向に、かつ下方に向かって面するような半透明の平面状の窓部として形成される。
【００４２】
非接触センサ４６４は、たとえば、赤外線センサ、光電センサ、あるいはマイクロ波（ドップラー）センサ等を用いることができる。
【００４３】
非接触センサ収納部４６０とセンサ用ケーブル収納部４６２との境には、非接触センサ４６４からのケーブルを挿通しうる隙間を有する前側壁部４６２ａが形成され、さらに、センサ用ケーブル収納部４６２の後端側には、上方向に凸型の後側壁部４６２ｂが形成される。そして、センサ用ケーブル収納部４６２の下面の後側には、受け用基部４４に非接触センサ保持部材４６を固定するための取付用孔４６２ｃが形成される。したがって、センサ用ケーブル収納部４６２は、上部側が開口された略直方体状の空間として形成される。
非接触センサ４６４の配線（非接触センサ用ケーブル８４０）は、受け用基部４４の後側に形成される配線用開口部４４４ｂを介して、後述する非接触検出回路８４に電気的に接続される。
【００４４】
また、図７に示すように、吐水孔３２０ｃ１から吐出する吐水の吐水軸方向Ａ1と、非接触センサ４６４の検出軸方向Ａ2とは略平行である。そして、吐水軸方向Ａ1と検出軸方向Ａ2とは、前方向に、かつ下方に向かうように、吐水部３２０およびセンサ検出用窓部４６０ａが設けられる。
【００４５】
自動水栓本体２０Ａは、吐水ヘッド部３０をホース５０とともに受け部４０側に嵌め込むことによって、受け部４０により吐水ヘッド部３０が保持される。
このとき、受け部４０の雄嵌合部４４２が吐水ヘッド部３０の雌嵌合部３４６内に嵌り込み、雄嵌合部４４２と雌嵌合部３４６との嵌合により吐水ヘッド部３０が受け部４０に保持される。
また、吐水ヘッド部３０は、受け部４０に保持される状態で雄嵌合部４４２の雄セレーション部４４２ｂと雌嵌合部３４６の雌セレーション部３４６ｂとの噛合いにより回転規制される。
【００４６】
さらに、図５（ａ）における断面部分拡大図に示すように、吐水ヘッド部３０が、受け部４０に嵌め込まれて、保持されている状態では、吐水ヘッド部３０のヘッド用外形部材３２における後面に配置される静電検出領域３２４と受け部４０の受け用外形部材４２の前面４２６側に配置される静電検出領域４２４とが互いに対向するように配置されているため接触するように配置される。これにより、吐水ヘッド部３０に配置される静電検出領域３２４と受け部４０に配置される静電検出領域４２４とは電気的に接続される。
【００４７】
（ｂ−３）ホース
ホース５０は、たとえば、絶縁性を有する網目状の樹脂により形成された管状体の内面に樹脂製部材を固着して形成される。したがって、ホース５０は、可撓性を有する。ホース５０は、一方を吐水ヘッド部３０のヘッド用基部３４におけるホース保持部３４２に対して吐水口３２０に通水可能に取り付けられ、ヘッド用基部３４のホース保持部３４２から受け部４０の挿通孔４４６に挿入され、引き出し可能に挿通される。ホース５０は、後述する吐水流路７６の一部に対応する。
【００４８】
自動水栓本体部２０Ａには、受け部４０から吐水ヘッド部３０が引き出されたか否かを確認するための引出判定部５２が設けられる。引出判定部５２は、たとえば、ホール素子５２０とマグネット５２２とを備える。
【００４９】
ホール素子５２０は、たとえば、受け部４０の受け用基部４４における前面４４０側に配置される。そして、図５（ａ）における断面部分拡大図に示すように、吐水ヘッド部３０が受け部４０に嵌め込まれて、保持されている状態において、吐水ヘッド部３０のヘッド用基部３４の後部において、受け用基部４４の前面４４０側に配置されたホール素子５２０に対して対向する位置であって、たとえば、ヘッド用基部３４の接続部３４４の後面側に、マグネット５２２が配置される。したがって、吐水ヘッド部３０が受け部４０に嵌め込まれて、保持されている状態では、ホール素子５２０とマグネット５２２とは近接している。ホール素子５２０は、引出判定用ケーブル８６０を介して引出判定検出回路８６と電気的に接続されている。
【００５０】
（ｃ）温度調整部
温度調整部６０は、自動水栓本体２０Ａから吐水される水の温度を操作するために設けられる。温度調整部６０は、後述する混合弁７４が配置される本体部６２と、混合弁７４により水と湯との混合される割合を手動で調整するための操作レバー６４とを含む。たとえば、操作レバー６４を時計回りＴ1に回転するにしたがって高温となる湯となるように調整され、反時計回りＴ2に回転するにしたがって低温となる冷水となるように調整された水を吐出するように温度調整をすることができる。
【００５１】
（ｄ）配管部
配管部７０は、自動水栓装置１０の配管網を構成する。
配管部７０は、冷水を供給する給水管７２と湯を供給する給湯管７３とを含み、給水管７２から供給される冷水と給湯管７３から供給される湯との混合する割合を変更するための混合弁７４を含む。配管部７０は、混合弁７４から自動水栓本体２０Ａに対して適宜に温度の調整された水を供給するための吐水流路７６を有する。そして、吐水流路７６は、ホース５０として自動水栓本体２０Ａに接続される。また、吐水流路７６の中間部には、吐水流路７６を開閉する機能を有する電磁弁７８が設けられる。
【００５２】
（ｅ）制御基板
さらに、第１の実施の形態にかかる自動水栓本体２０Ａの電気的構成について説明する。図５（ａ）は、この発明の第１の実施の形態にかかる自動水栓本体を模式的に示す模式図であり、図５（ｂ）は、図５（ａ）について吐水ヘッド部を受け部から引き出した状態の自動水栓本体を模式的に示す模式図である。図６は、この発明の第１の実施の形態かかる制御基板の構成を示すブロック図である。
【００５３】
第１の実施の形態にかかる制御基板８０Ａは、静電検出領域３２４や静電検出領域４２４の静電容量を検出するための静電検出回路８２と、非接触センサからの検出信号Ｓ１２を受信するための非接触検出回路８４と、ホール素子５２０からの検出信号Ｓ１４を受信するための引出判定検出回路８６と、静電検出回路８２からの出力信号Ｓ２０、非接触検出回路８４からの出力信号Ｓ２２および引出判定検出回路８６からの出力信号Ｓ２４に基づき制御するための制御マイコン８８と、電磁弁７８に接続され、制御マイコン８８からの制御信号Ｓ３０に基づき電磁弁７８を制御するための制御信号Ｓ４０を出力するための電磁弁制御回路９０とを備える。
【００５４】
静電検出部である静電検出回路８２は、静電検出領域３２４や静電検出領域４２４の静電容量、および静電検出領域３２４や静電検出領域４２４に人体の一部が触れることによる静電容量の変化を検出するための機能を有する。さらに、検出された静電容量に大きさに応じて、制御マイコン８８に対して出力信号Ｓ２０を出力する機能を有する。
【００５５】
第１の実施の形態にかかる自動水栓装置１０では、静電検出回路８２は、受け部４０の静電検出領域４２４と静電検出用ケーブル８２０を介して電気的に接続される。そして、上述したように、吐水ヘッド部３０が受け部４０に保持された状態では、吐水ヘッド部３０に配置される静電検出領域３２４と受け部４０に配置される静電検出領域４２４とは電気的に接続されているので、吐水ヘッド部３０が受け部４０に保持される間は、吐水ヘッド部３０の静電検出領域３２４と受け部４０の静電検出領域４２４のいずれにおいても人体の一部が触れることによる静電容量の変化の検出が可能である。
【００５６】
非接触検出回路８４は、非接触センサ４６４が検知領域における物体を検出したときに非接触センサ４６４から出力された検出信号Ｓ１２が入力され、それに応じて、制御マイコン８８に出力信号Ｓ２２を出力する機能を有する。
【００５７】
引出判定出検出回路８６は、ホール素子５２０においてマグネット５２２を検出したか否かのについて出力された検出信号Ｓ１４が入力され、それに応じて、制御マイコン８８に出力信号Ｓ２４を出力する機能を有する。
【００５８】
制御部である制御マイコン８８は、静電検出回路８２、非接触検出回路８４および引出判定検出回路８６からそれぞれ出力される出力信号Ｓ２０ないしＳ２２に基づき制御するための機能を有する。そして、出力信号Ｓ２０ないしＳ２２を所定の制御条件に基づいて制御するために、電磁弁制御回路９０に制御信号Ｓ３０を出力する機能を有する。この所定の制御条件は、自動水栓装置１０の動作とともに後述する。
【００５９】
電磁弁制御回路９０は、制御マイコン８８により出力された制御信号Ｓ３０が入力され、その入力された制御信号Ｓ３０に基づいて電磁弁７８の弁の開閉を制御するための制御信号Ｓ４０を電磁弁７８に対して出力する機能を有する。
【００６０】
（ｆ）第１の実施の形態にかかる自動水栓装置の動作
次に、第１の実施の形態にかかる自動水栓装置１０の動作について説明する。
第１の実施の形態にかかる自動水栓装置１０は、静電検出領域３２４、４２４に人体の一部を触れる動作により、吐水／止水を切り替えることができ（いわゆるトグル式）、さらに、非接触センサ４６４が検知領域で物体（たとえば、手などの人体の一部）を検出している間、吐水状態を維持し、検出しなくなると、止水することができる。以下、詳細に説明する。
【００６１】
（ｆ−１）吐水ヘッド部が受け部に保持されている場合
まず、吐水ヘッド部３０が、受け部４０に嵌め込まれて、保持されている状態では、静電検出回路８２および非接触検出回路８４のいずれも検出可能である。
すなわち、吐水ヘッド部３０の静電検出領域３２４あるいは受け部４０の静電検出領域４２４のいずれかに人体の一部が触れると、静電検出回路８２が静電検出用ケーブル８２０を介して静電容量の変化を検出することで、静電検出回路８２は、制御マイコン８８に対して出力信号Ｓ２０を出力する。そうすると、制御マイコン８８は、出力信号Ｓ２０に基づき、電磁弁制御回路９０に対して制御信号Ｓ３０を出力し、電磁弁制御回路９０には制御信号Ｓ３０が入力される。続いて、電磁弁制御回路９０は、電磁弁７８に対し、弁を開くように制御信号Ｓ４０を出力することで、電磁弁７８は弁を開き、吐水流路７６を介して吐水される。
【００６２】
また、吐水状態において、吐水ヘッド部３０が受け部４０に嵌め込まれて、保持している場合、制御マイコン８８は、吐水ヘッド部３０の静電検出領域３２４あるいは受け部４０の静電検出領域４２４のいずれかに人体の一部が触れることで、止水することができるように制御する。
【００６３】
一方、非接触センサ４６４が検知領域における物体を検出すると、非接触センサ４６４は、検出信号Ｓ１２を非接触検出回路８４に対して出力する。非接触検出回路８４に検出信号Ｓ１２され、非接触検出回路８４に検出信号Ｓ１２が入力されると、続いて非接触検出回路８４は、制御マイコン８８に対して出力信号Ｓ２２を出力する。そうすると、制御マイコン８８は、電磁弁制御回路９０に対して制御信号Ｓ３０を出力し、電磁弁制御回路９０には制御信号Ｓ３０が入力される。続いて、電磁弁制御回路９０は、電磁弁７８に対し、弁を開くように制御信号Ｓ４０を出力することで、電磁弁７８は弁を開き、吐水流路７６を介して吐水される。
【００６４】
また、非接触センサ４６４が検知領域における物体を検出しなくなると、制御マイコン８８は、電磁弁制御回路９０に対して制御信号Ｓ３０を出力し、電磁弁制御回路９０は、電磁弁７８に対し、弁を閉じるように制御信号Ｓ４０を出力することで、電磁弁７８は弁を閉じ、止水される。
【００６５】
（ｆ−２）吐水ヘッド部が受け部から引き出された場合
吐水ヘッド部３０が受け部４０から引き出された状態では、吐水ヘッド部３０に配置される静電検出領域３２４と受け部４０に配置される静電検出領域４２４との間の電気的な接続は解除され、受け部４０の静電検出領域４２４のみが静電容量の検出の対象となる。
【００６６】
この吐水ヘッド部３０が受け部４０から引き出された状態は、受け部４０側に配置されるホール素子５２０から吐水ヘッド部３０側に配置されるマグネット５２２が離れることにより検出され、ホール素子５２０は、検出信号Ｓ１４を引出判定検出回路８６に対して出力する。引出判定検出回路８６に検出信号Ｓ１４が入力されると、続いて、引出判定検出回路８６は、制御マイコン８８に対して出力信号Ｓ２４を出力する。そうすると、制御マイコン８８は、非接触センサ４６４の機能を停止し、非接触センサ４６４による吐水が行わないように制御される。
【００６７】
吐水ヘッド部３０が受け部４０から引き出された状態で吐水ヘッド部３０から吐水されている場合、受け部４０の静電検出領域４２４に人体の一部が触れることで、止水することができる。
すなわち、受け部４０の静電検出領域４２４に人体の一部が触れると、静電検出回路８２が静電検出用ケーブル８２０を介して静電容量の変化を検出することで、静電検出回路８２は、制御マイコン８８に対して出力信号Ｓ２０を出力する。そうすると、制御マイコン８８は、電磁弁制御回路９０に対して制御信号Ｓ３０を出力し、電磁弁制御回路９０には制御信号Ｓ３０が入力される。続いて、電磁弁制御回路９０は、電磁弁７８に対し、弁を閉じるように制御信号Ｓ４０を出力することで、電磁弁７８は弁を閉じ、止水される。
【００６８】
また、吐水ヘッド部３０が受け部４０に嵌め込まれた場合、ホール素子５２０がマグネット５２２に近接することで、ホール素子５２０からの検出信号Ｓ１４が入力されると、引出判定検出回路８６が戻されたことを検出し、制御マイコン８８に出力信号Ｓ２４が出力され、制御マイコン８８に出力信号Ｓ２４が入力されると、制御マイコン８８は、吐水ヘッド部３０の静電検出領域３２４あるいは受け部４０の静電検出領域４２４のいずれかに人体の一部が触れることで、止水することができるように制御する。
【００６９】
（ｆ−３）制御マイコンにおける制御条件
静電検出回路８２を用いた吐水／止水の切り替えは、静電検出領域３２４、４２４に触れた後、規定の時間（１秒以内等）の間に離されたことを検出して行う。
したがって、静電検出領域３２４、４２４に規定時間以上連続して触れていた場合、すなわち、規定時間以上連続して静電容量が変化しなかった場合は、吐水／止水の切替制御は行わない。すなわち、たとえば、吐水ヘッド部３０を引き出そうとして持ち続けた場合は、吐水／止水の切替制御は行わない。
【００７０】
また、静電検出回路８２により静電容量が変化したことが検出されたことにより、吐水状態となっている場合は、制御マイコン８８は、非接触センサの機能は停止されるように制御される。すなわち、連続して吐水されている間は、吐水口下の状態によって吐水状態は変更しない。
一方、非接触検出回路８４により検出信号Ｓ１２が検出されたことにより、吐水状態となっている場合は、制御マイコン８８は、静電検出回路８２の機能は停止されるように制御される。
【００７１】
また、制御マイコン８８が、規定時間（たとえば、１分間）の間、吐水状態であると判定した場合は、電磁弁制御回路９０に対して制御信号Ｓ３０を出力し、電磁弁制御回路９０は、電磁弁７８に対し、弁を閉じるように制御信号Ｓ４０を出力することで、電磁弁７８は弁を閉じ、止水される。
【００７２】
（ｇ）作用効果
第１の実施の形態にかかる自動水栓装置１０によれば、吐水ヘッド部３０に配置される静電検出領域３２４あるいは受け部４０に配置される静電検出領域４２４に人体の一部を触れるたびに、吐水／止水を切り替えることができるので（いわゆるトグル式）、容易に連続して吐水させ、止水させることができる。
また、第１の実施の形態にかかる自動水栓装置１０によれば、非接触センサ４６４が、検知領域における物体を検出している間、吐水状態を維持し、検出しなくなると止水するので、手洗い等を行う場合は、吐水／止水の操作を行うことなく、吐水状態とすることができる。
【００７３】
また、第１の実施の形態にかかる自動水栓装置１０によれば、吐水ヘッド部３０が受け部４０に嵌め込まれて保持されている場合、吐水ヘッド部３０に配置される静電検出領域３２４と受け部４０に配置される静電検出領域４２４とが電気的に接続されているので、静電検出領域４２４のみが静電検出回路８２と電気的に接続されている場合であっても、静電検出領域３２４あるいは静電検出領域４２４のいずれに触れても吐水／止水の操作をすることができる。
【００７４】
さらに、第１の実施の形態にかかる自動水栓装置１０によれば、ヘッド用外形部材３２の外面や内面に従来のめっき処理を実施し、受け用外形部材４２の外面や内面に従来のめっき処理を実施することで、静電検出領域３２４、４２４を形成しうるので、改めて、静電検出領域のための工程を設ける必要がない。このように、静電検出領域３２４、４２４を個別に形成する必要もないため、自動水栓本体２０Ａの形状や配置の自由度が向上する。
また、上述の構成により、自動水栓本体２０Ａそれ自体が電極の機能を有するため、複雑な配線をする必要がない。
【００７５】
さらに、第１の実施の形態にかかる自動水栓装置１０によれば、吐水ヘッド部３０が、受け部４０から引き出されたことを判定するための引出判定部５２を備えるので、吐水ヘッド部３０が引き出されたことによる制御条件の変化について、確実に対応することができる。
【００７６】
さらにまた、第１の実施の形態にかかる自動水栓装置１０によれば、吐水ヘッド部３０は吐出部３２０を有し、非接触センサ４６４は、吐出部３２０に近接して配置されるので、より精度よく、人体の一部、たとえば、手等が、検知領域に差し出されたことを検出することができる。
【００７７】
また、第１の実施の形態にかかる自動水栓装置１０によれば、吐出部３２０の外周縁に操作部材３２０ｂが配置され、非接触センサ４６４は、操作部材３２０ｂの後方で、かつ操作部材３２０ｂから所定の間隔Ｄを設けて配置されるので、非接触センサ４６４に干渉することを回避しつつ、操作部材３２０ｂを操作することができる。
【００７８】
さらに、第１の実施の形態にかかる自動水栓装置１０によれば、制御マイコン８８は、非接触センサ４６４が信号を検出した場合、静電検出回路８２の機能を停止するように制御し、静電検出回路８２が信号を検出した場合、非接触センサ４６４の機能を停止するように制御するので、いずれのセンサが同時に検出することを回避することができる。
【００７９】
２．第１の実施の形態の変形例
次に、第１の実施の形態の変形例にかかる自動水栓装置１０について説明する。図１４（ａ）は、この発明の第１の実施の形態の変形例にかかる自動水栓本体を模式的に示す模式図であり、図１４（ｂ）は、図１４（ａ）について吐水ヘッド部を受け部から引き出した状態の自動水栓本体を模式的に示す模式図である。
【００８０】
なお、この第１の実施の形態の変形例にかかる自動水栓装置１０を構成する自動水栓本体２０Ａ’は、第１の実施の形態にかかる自動水栓本体２０Ａとは、吐水ヘッド部３０の静電検出領域３２４と受け部４０の静電検出領域４２４との間を電気的に接続する方法が異なることを除いて、図３ａないし図１３ｂを用いて説明した自動水栓本体２０Ａと同様の構成を有する。したがって、図３ａないし図１３ｂに示した自動水栓本体２０Ａと同一部分には、同一の符号を付し、その説明を省略する。
【００８１】
図１４に示すように、第１の実施の形態の変形例にかかる自動水栓本体２０Ａ’は、さらに電気接続部５４を備える。電気接続部５４は、たとえば、コネクタ５４０、５４２により構成される。
コネクタ５４０は、受け部４０に配置される静電検出領域４２４と電気的に接続されている。また、コネクタ５４２は、吐水ヘッド部３０に配置される静電検出領域３２４と電気的に接続されている。そして、吐水ヘッド部３０が受け部４０に嵌っている場合、受け部４０側に配置されるコネクタ５４０が、吐水ヘッド部３０側に配置されるコネクタ５４２に嵌め込まれ、その結果、接続コネクタ５４０とコネクタ５４２とは、電気的に接続される。したがって、吐水ヘッド部３０に配置される静電検出領域３２４と受け部４０に配置される静電検出領域４２４とは電気的に接続される。
そうすると、吐水ヘッド部３０が受け部４０に嵌っている間は、吐水ヘッド部３０に配置される静電検出領域３２４と受け部４０に配置される静電検出領域４２４のいずれも静電検出が可能となる。
なお、静電検出回路８２は、受け部４０に配置される静電検出領域４２４とのみ電気的に接続されている。
【００８２】
次に、第１の実施の形態の変形例にかかる自動水栓装置１０の動作であるが、第１の実施の形態の変形例にかかる自動水栓装置１０の動作は、第１の実施の形態にかかる自動水栓装置１０の動作と同様であるので、その説明を省略する。
【００８３】
（ｂ）作用効果
この自動水栓装置１０では、第１の実施の形態にかかる自動水栓装置１０と同様の効果を奏するとともに、次の効果も奏する。
すなわち、自動水栓本体２０Ａ’は、自動水栓本体２０Ａとは異なり、接触面が水垢等の汚れにより接触不良が生じ、その結果、絶縁状態となっても、コネクタ５４０、５４２を備えた電気接続部５４により接続されるので、吐水ヘッド部３０の静電検出領域３２４と受け部４０の静電検出領域４２４との間における電気的な接続が確実になされうる。
【００８４】
３．第２の実施の形態
次に、第２の実施の形態にかかる自動水栓装置１０について説明する。図１５ａは、この発明の第２の実施の形態にかかる自動水栓装置の自動水栓本体であって、吐水ヘッド部が受け部に嵌め込まれた状態を示す外観斜視図である。図１５ｂは、この発明にかかる第２の実施の形態にかかる自動水栓装置の自動水栓本体であって、吐水ヘッド部が受け部に嵌め込まれた状態を示し、さらに別の方向からみた外観斜視図である。図１６（ａ）は、この発明の第２の実施の形態にかかる自動水栓本体を模式的に示す模式図であり、図１６（ｂ）は、図１６（ａ）について吐水ヘッド部を受け部から引き出した状態の自動水栓本体を模式的に示す模式図である。図１７は、この発明の第２の実施の形態かかる制御基板の構成を示すブロック図である。
【００８５】
なお、この第２の実施の形態にかかる自動水栓装置１０を構成する自動水栓本体２０Ｂは、第１の実施の形態にかかる自動水栓本体２０Ａと比較して、受け部４０に絶縁部４３２が形成されており、さらに、引出判定部５２が設けられていないことを除いて、図３ａないし図１３ｂを用いて説明した自動水栓本体２０Ａと同様の構成を有する。したがって、図３ａないし図１３ｂに示した自動水栓本体２０Ａと同一部分には、同一の符号を付し、その説明を省略する。
【００８６】
（ａ）第２の実施の形態にかかる自動水栓装置の構成
図１５ａ、図１５ｂおよび図１６に示すように、自動水栓本体２０Ｂの受け部４０には絶縁部４３２が形成される。絶縁部４３２は、受け部４０の前面４４０側から後面４４４に向かって所定の幅を設けて形成される。この幅の大きさは、吐水ヘッド部３０に配置される静電検出領域３２４と受け部４０に配置される静電検出領域４２４とにより容量結合が生じうる幅が確保される。すなわち、絶縁部４３２は、吐水ヘッド部３０に配置される静電検出領域３２４と受け部４０に配置される静電検出領域４２４とにより容量結合が生じうるように設けられる。
したがって、吐水ヘッド部３０が、受け部４０に嵌め込まれて、保持されている状態においては、図１６（ａ）のａ部断面拡大図に示すように、吐水ヘッド部３０に配置される静電検出領域３２４と受け部４０に配置される静電検出領域４２４とは、電気的に接続されておらず、静電検出領域３２４と静電検出領域４２４との間は、絶縁部４３２により容量結合される。
【００８７】
また、図１７に示すように、制御基板８０Ｂは、制御基板８０Ａと異なり、引出判定検出回路８６が設けられていない。
なお、静電検出回路８２は、受け部４０に配置される静電検出領域４２４とのみ電気的に接続されている。
【００８８】
また、自動水栓装置２０Ｂでは、静電検出領域３２４と静電検出領域４２４との間が容量結合されているので、吐水ヘッド部３０に配置される静電検出領域３２４に人体の一部が触れた場合と、受け部４０に配置される静電検出領域４２４に人体の一部が触れた場合とで、静電容量の変化に違いが生ずる。したがって、制御マイコン８８においては、吐水ヘッド部３０に触れた場合の判定基準値と、受け部４０に触れた場合の判定基準値の２種類設定される。
【００８９】
（ｂ）第２の実施の形態にかかる自動水栓装置の動作
次に、第２の実施の形態にかかる自動水栓装置１０の動作について説明する。
【００９０】
（ｂ−１）吐水ヘッド部が受け部に保持されている場合
まず、吐水ヘッド部３０が、受け部４０に嵌め込まれて、保持されている状態では、静電検出回路８２および非接触検出回路８４のいずれも検出可能である。
すなわち、吐水ヘッド部３０に配置される静電検出領域３２４に人体の一部が触れると、静電検出回路８２が静電検出用ケーブル８２０を介して吐水ヘッド部３０に触れた場合の判定基準値により静電容量の変化を検出し、受け部４０に配置される静電検出領域４２４に人体の一部が触れると、静電検出回路８２が静電検出用ケーブル８２０を介して受け部４０に触れた場合の判定基準値により静電容量の変化を検出することで、静電検出回路８２は、制御マイコン８８に対して出力信号Ｓ２０を出力する。
そうすると、制御マイコン８８は、出力信号Ｓ２０に基づき、電磁弁制御回路９０に対して制御信号Ｓ３０を出力し、電磁弁制御回路９０には制御信号Ｓ３０が入力される。続いて、電磁弁制御回路９０は、電磁弁７８に対し、弁を開くように制御信号Ｓ４０を出力することで、電磁弁７８は弁を開き、吐水流路７６を介して吐水される。
【００９１】
また、吐水状態において、吐水ヘッド部３０が受け部４０に嵌め込まれて、保持している場合、制御マイコン８８は、吐水ヘッド部３０の静電検出領域３２４あるいは受け部４０の静電検出領域４２４のいずれかに人体の一部が触れることで、止水することができるように制御する。
【００９２】
一方、非接触センサ４６４が検知領域における物体を検出すると、非接触センサ４６４は、検出信号Ｓ１２を非接触検出回路８４に対して出力する。非接触検出回路８４に検出信号Ｓ１２され、非接触検出回路８４に検出信号Ｓ１２が入力されると、続いて非接触検出回路８４は、制御マイコン８８に対して出力信号Ｓ２２を出力する。そうすると、制御マイコン８８は、電磁弁制御回路９０に対して制御信号Ｓ３０を出力し、電磁弁制御回路９０には制御信号Ｓ３０が入力される。続いて、電磁弁制御回路９０は、電磁弁７８に対し、弁を開くように制御信号Ｓ４０を出力することで、電磁弁７８は弁を開き、吐水流路７６を介して吐水される。
【００９３】
また、非接触センサ４６４が検知領域における物体を検出しなくなると、制御マイコン８８は、電磁弁制御回路９０に対して制御信号Ｓ３０を出力し、電磁弁制御回路９０は、電磁弁７８に対し、弁を閉じるように制御信号Ｓ４０を出力することで、電磁弁７８は弁を閉じ、止水される。
【００９４】
（ｂ−２）吐水ヘッド部が受け部から引き出された場合
吐水ヘッド部３０が受け部４０から引き出された状態では、吐水ヘッド部３０に配置される静電検出領域３２４と受け部４０に配置される静電検出領域４２４との容量結合が解除されるため、静電検出回路８２により検出される受け部４０に配置される静電検出領域４２４の静電容量が変化する。静電検出回路８２は、この変化を検出し、その変化されたことを出力信号Ｓ２０として制御マイコン８８に出力することで、制御マイコン８８は、吐水ヘッド部３０が引き出されたことを判定する。すなわち、この実施の形態では、引出判定部５２および引出判定検出回路８６を必要としない。
【００９５】
制御マイコン８０は、吐水ヘッド部３０が引き出されたと判定すると、制御マイコン８０は、非接触センサ４６４の機能を停止し、非接触センサによる吐水が行わないように制御する。
【００９６】
吐水ヘッド部３０が受け部４０から引き出された状態で吐水ヘッド部３０から吐水されている場合、受け部４０の静電検出領域４２４に人体の一部が触れることで、止水することができる。
すなわち、受け部４０の静電検出領域４２４に人体の一部が触れると、静電検出回路８２が静電検出用ケーブル８２０を介して静電容量の変化を検出することで、静電検出回路８２は、制御マイコン８８に対して出力信号Ｓ２０を出力する。そうすると、制御マイコン８８は、電磁弁制御回路９０に対して制御信号Ｓ３０を出力し、電磁弁制御回路９０には制御信号Ｓ３０が入力される。続いて、電磁弁制御回路９０は、電磁弁７８に対し、弁を閉じるように制御信号Ｓ４０を出力することで、電磁弁７８は弁を閉じ、止水される。
【００９７】
また、吐水ヘッド部３０が受け部４０に嵌め込まれた場合、吐水ヘッド部３０に配置される静電検出領域３２４と受け部４０に配置される静電検出領域４２４とが容量結合されるので、静電検出回路８２により検出される受け部４０の静電検出領域４２４の静電容量が変化する。静電検出回路８２は、この変化を検出し、その変化されたことを出力信号Ｓ２０として制御マイコン８８に出力することで、制御マイコン８８は、吐水ヘッド部３０が受け部４０に嵌め込まれたことを認識する。そうすると、制御マイコン８８は、吐水ヘッド部３０の静電検出領域３２４あるいは受け部４０の静電検出領域４２４のいずれかに人体の一部が触れることで、止水することができるように制御する。
【００９８】
（ｂ−３）制御マイコンにおける制御条件
なお、静電検出回路８２を用いた吐水／止水の切り替えは、静電検出領域３２４、４２４に触れた後、規定の時間（１秒以内等）の間に離されたことを検出して行う。
したがって、静電検出領域３２４、４２４に規定時間以上連続して触れていた場合、すなわち、規定時間以上連続して静電容量が変化しなかった場合は、吐水／止水の切替制御は行わない。すなわち、たとえば、吐水ヘッド部３０を引き出そうとして持ち続けた場合は、吐水／止水の切替制御は行わない。
【００９９】
また、静電検出回路８２により静電容量が変化したことが検出されたことにより、吐水状態となっている場合は、制御マイコン８８は、非接触センサの機能は停止されるように制御される。すなわち、連続して吐水されている間は、吐水口下の状態によって吐水状態は変更しない。
一方、非接触検出回路８４により検出信号Ｓ１２が検出されたことにより、吐水状態となっている場合は、制御マイコン８８は、静電検出回路８２の機能は停止されるように制御される。
【０１００】
また、制御マイコン８８が、規定時間（たとえば、１分間）の間、吐水状態であると判定した場合は、電磁弁制御回路９０に対して制御信号Ｓ３０を出力し、電磁弁制御回路９０は、電磁弁７８に対し、弁を閉じるように制御信号Ｓ４０を出力することで、電磁弁７８は弁を閉じ、止水される。
【０１０１】
（ｃ）作用効果
この自動水栓本体２０Ｂおよび制御基板８０Ｂを備えた自動水栓装置１０では、第１の実施の形態にかかる自動水栓装置１０と同様の効果を奏するとともに、次の効果も奏する。
すなわち、第１の実施の形態にかかる自動水栓本体２０Ａとは異なり、吐出ヘッド部３０が受け部４０から引き出されているか否かを、静電検出回路８２で検出する静電容量の違いにより判定することができるので、吐水ヘッド部３０や受け部４０において、ホール素子５２０およびマグネット５２２により構成される引出判定部５２を設けることなく、吐水ヘッド部３０が引き出されているか否かの判定を行うことができる。したがって、自動水栓本体２０Ｂには引出判定部５２を設ける必要がなく、さらに、制御基板８０Ｂに引出判定検出回路８６を設ける必要がない。
したがって、自動水栓本体２０Ｂ上述した自動水栓本体２０Ａや自動水栓本体２０Ａ’よりもその構成を簡略化することができ、制御基板８０Ｂは、制御基板８０Ａよりもその構成を簡略化することができる。
【０１０２】
４．第３の実施の形態
次に、第３の実施の形態にかかる自動水栓装置１０について説明する。図１８ａは、この発明の第３の実施の形態にかかる自動水栓装置の自動水栓本体であって、吐水ヘッド部が受け部に嵌め込まれた状態を示す外観斜視図である。図１８ｂは、この発明にかかる第３の実施の形態にかかる自動水栓装置の自動水栓本体であって、吐水ヘッド部が受け部に嵌め込まれた状態を示し、さらに別の方向からみた外観斜視図である。図１９（ａ）は、この発明の第３の実施の形態にかかる自動水栓本体を模式的に示す模式図であり、図１９（ｂ）は、図１９（ａ）について吐水ヘッド部を受け部から引き出した状態の自動水栓本体を模式的に示す模式図である。図２０は、この発明の第３の実施の形態かかる制御基板の構成を示すブロック図である。
【０１０３】
なお、この第３の実施の形態にかかる自動水栓装置１０を構成する自動水栓本体２０Ｃは、第１の実施の形態にかかる自動水栓本体２０Ａと比較して、受け部４０に絶縁部４３４が形成されており、さらに、受け部４０に配置される静電検出領域４２４と電気的に接続され、静電検出領域４２４に人体の一部が触れたことを検出するための第１の静電検出回路８２ａだけでなく、吐水ヘッド部３０に配置される静電検出領域３２４に人体の一部が触れたことを検出するための第２の静電検出回路８２ｂが、静電検出領域３２４と電気的に接続されて設けられていることを除いて、図３ａないし図１３ｂを用いて説明した自動水栓本体２０Ａと同様の構成を有する。したがって、図３ａないし図１３ｂに示した自動水栓本体２０Ａと同一部分には、同一の符号を付し、その説明を省略する。
【０１０４】
（ａ）第３の実施の形態にかかる自動水栓装置の構成
図１８ａ、図１８ｂおよび図２０に示すように、自動水栓本体２０Ｃの受け部４０には絶縁部４３４が形成される。絶縁部４３４は、受け部４０の前面４４０側から後面４４４に向かって所定の幅を設けて形成される。この幅の大きさは、吐水ヘッド部３０に配置される静電検出領域３２４と受け部４０に配置される静電検出領域４２４とにより容量結合が生じないだけの幅が確保される。すなわち、絶縁部４３４は、吐水ヘッド部３０に配置される静電検出領域３２４と受け部４０に配置される静電検出領域４２４とにより容量結合が生じないように設けられる。
したがって、吐水ヘッド部３０が、受け部４０に嵌め込まれて、保持されている状態においては、図１９（ａ）のｂ部断面拡大図に示すように、吐水ヘッド部３０に配置される静電検出領域３２４と受け部４０に配置される静電検出領域４２４とは、電気的に接続されておらず、静電検出領域３２４と静電検出領域４２４との間は、絶縁部４３２により隔てられており、容量結合されない。
【０１０５】
また、図２０に示すように、制御基板８０Ｃは、制御基板８０Ａと異なり、受け部４０に配置される静電検出領域４２４と、第１の静電検出用ケーブル８２０ａを介して電気的に接続される第１の静電検出回路８２ａと、吐水ヘッド部３０に配置される静電検出領域３２４と第２の静電検出用ケーブル８２０ｂを介して電気的に接続される第２の静電検出回路８２ｂが設けられる。
すなわち、受け部４０の静電検出領域４２４に触れた場合は、第１の静電検出回路８２ａが静電容量の変化を検出し、吐水ヘッド部３０の静電検出領域３２４に触れた場合は、第２の静電検出回路８２ｂが静電容量の変化を検出する。したがって、制御マイコン８８は、吐水ヘッド部３０の静電検出領域３２４に触れた場合の基準判定値と、受け部４０の静電検出領域４２４に触れた場合の基準判定値の２種類設定される。
なお、第２の静電検出用ケーブル８２０ｂは、ホース５０に沿って配置される。
【０１０６】
（ｂ）第３の実施の形態にかかる自動水栓装置の動作
次に、第３の実施の形態にかかる自動水栓装置１０の動作について説明する。
【０１０７】
（ｂ−１）吐水ヘッド部が受け部に保持されている場合
まず、吐水ヘッド部３０が、受け部４０に嵌め込まれて、保持されている状態では、第１の静電検出回路８２ａおよび第２の静電検出回路８２ｂ、ならびに非接触検出回路８４のいずれも検出可能である。
すなわち、受け部４０の静電検出領域４２４のいずれかに人体の一部が触れると、第１の静電検出回路８２ａが第１の静電検出用ケーブル８２０ａを介して静電容量の変化を検出することで、第１の静電検出回路８２ａは、制御マイコン８８に対して出力信号Ｓ２０ａを出力する。
同様に、吐水ヘッド部３０の静電検出領域３２４に人体の一部が触れると、第２の静電検出回路８２ｂが第２の静電検出用ケーブル８２０ｂを介して静電容量の変換を検出することで、第２の静電検出回路８２ｂは、制御マイコン８８に対して出力信号Ｓ２０ｂを出力する。
そうすると、制御マイコン８８は、出力信号Ｓ２０ａあるいは出力信号Ｓ２０ｂに基づき、電磁弁制御回路９０に対して制御信号Ｓ３０を出力し、電磁弁制御回路９０には制御信号Ｓ３０が入力される。続いて、電磁弁制御回路９０は、電磁弁７８に対し、弁を開くように制御信号Ｓ４０を出力することで、電磁弁７８は弁を開き、吐水流路７６を介して吐水される。
【０１０８】
また、吐水状態において、吐水ヘッド部３０が受け部４０に嵌め込まれて、保持している場合、制御マイコン８８は、吐水ヘッド部３０の静電検出領域３２４あるいは受け部４０の静電検出領域４２４のいずれかに人体の一部が触れることで、止水することができるように制御する。
【０１０９】
一方、非接触センサ４６４が検知領域における物体を検出すると、非接触センサ４６４は、検出信号Ｓ１２を非接触検出回路８４に対して出力する。非接触検出回路８４に検出信号Ｓ１２され、非接触検出回路８４に検出信号Ｓ１２が入力されると、続いて非接触検出回路８４は、制御マイコン８８に対して出力信号Ｓ２２を出力する。そうすると、制御マイコン８８は、電磁弁制御回路９０に対して制御信号Ｓ３０を出力し、電磁弁制御回路９０には制御信号Ｓ３０が入力される。続いて、電磁弁制御回路９０は、電磁弁７８に対し、弁を開くように制御信号Ｓ４０を出力することで、電磁弁７８は弁を開き、吐水流路７６を介して吐水される。
【０１１０】
また、非接触センサ４６４が検知領域における物体を検出しなくなると、制御マイコン８８は、電磁弁制御回路９０に対して制御信号Ｓ３０を出力し、電磁弁制御回路９０は、電磁弁７８に対し、弁を閉じるように制御信号Ｓ４０を出力することで、電磁弁７８は弁を閉じ、止水される。
【０１１１】
（ｂ−２）吐水ヘッド部が受け部から引き出された場合
吐水ヘッド部３０が受け部４０から引き出された状態では、受け部４０の静電検出領域４２４のみが静電容量の検出の対象となる。
この吐水ヘッド部３０が受け部４０から引き出された状態は、受け部４０側に配置されるホール素子５２０から吐水ヘッド部３０側に配置されるマグネット５２２が離れることにより検出され、ホール素子５２０は、検出信号Ｓ１４を引出判定検出回路８６に対して出力する。引出判定検出回路８６に検出信号Ｓ１４が入力されると、続いて引出判定検出回路８６は、制御マイコン８８に対して出力信号Ｓ２４を出力する。そうすると、制御マイコン８８は、吐水ヘッド部３０の第１の静電検出回路８２ａの機能を停止し、吐水ヘッド部３０に配置される静電検出領域３２４における静電容量の変化に基づいて吐水状態が変更されないように制御する。また、制御マイコン８８は、非接触センサ４６４の機能を停止し、非接触センサ４６４による吐水が行わないように制御する。
【０１１２】
吐水ヘッド部３０が受け部４０から引き出された状態で吐水ヘッド部３０から吐水されている場合、受け部４０の静電検出領域４２４に人体の一部が触れることで、止水することができる。
すなわち、受け部４０の静電検出領域４２４に人体の一部が触れると、静電検出回路８２が静電検出用ケーブル８２０を介して静電容量の変化を検出することで、静電検出回路８２は、制御マイコン８８に対して出力信号Ｓ２０を出力する。そうすると、制御マイコン８８は、電磁弁制御回路９０に対して制御信号Ｓ３０を出力し、電磁弁制御回路９０には制御信号Ｓ３０が入力される。続いて、電磁弁制御回路９０は、電磁弁７８に対し、弁を閉じるように制御信号Ｓ４０を出力することで、電磁弁７８は弁を閉じ、止水される。
【０１１３】
また、吐水ヘッド部３０が受け部４０に嵌め込まれた場合、ホール素子５２０がマグネット５２２に近接することで、ホール素子５２０からの検出信号Ｓ１４が入力されると、引出判定検出回路８６が戻されたことを検出し、制御マイコン８８に出力信号Ｓ２４が出力され、制御マイコン８８に出力信号Ｓ２４が入力されると、制御マイコン８８は、吐水ヘッド部３０の静電検出領域３２４あるいは受け部４０の静電検出領域４２４のいずれかに人体の一部が触れることで、止水することができるように制御する。
【０１１４】
（ｂ−３）制御マイコンにおける制御条件
第１の静電検出回路８２ａおよび第２の静電検出回路８２ｂを用いた吐水／止水の切り替えは、静電検出領域３２４、４２４に触れた後、規定の時間（１秒以内等）の間に離されたことを検出して行う。
したがって、特に、吐水ヘッド部３０に配置される静電検出領域３２４を規定時間以上連続して触れていた場合、すなわち、規定時間以上連続して静電容量が変化しなかった場合は、吐水／止水の切替制御は行わない。すなわち、吐水ヘッド部３０を引き出そうとして持ち続けた場合は、吐水／止水の切替制御は行わない。
【０１１５】
第１の静電検出回路８２ａにより静電容量の変化したことが検出されるか、あるいは第２の静電検出回路８２ｂにより静電容量の変化したことが検出されたことにより、吐水状態となっている場合は、制御マイコン８８は、非接触センサ４６４の機能は停止されるように制御される。すなわち、連続して吐水されている間は、吐水口下の状態によって吐水状態は変更しない。
一方、非接触検出回路８４により検出信号Ｓ１２が検出されたことにより、吐水状態となっている場合は、制御マイコン８８は、第１の静電検出回路８２ａおよび第２の静電検出回路８２ｂの機能は停止されるように制御する。
【０１１６】
また、制御マイコン８８が、規定時間（たとえば、１分間）の間、吐水状態であると判定した場合は、電磁弁制御回路９０に対して制御信号Ｓ３０を出力し、電磁弁制御回路９０は、電磁弁７８に対し、弁を閉じるように制御信号Ｓ４０を出力することで、電磁弁７８は弁を閉じ、止水される。
【０１１７】
（ｃ）作用効果
この自動水栓本体２０Ｃおよび制御基板８０Ｃを備えた自動水栓装置１０では、第１の実施の形態にかかる自動水栓装置１０と同様の効果を奏するとともに、次の効果も奏する。
すなわち、第１の実施の形態にかかる自動水栓本体２０Ａとは異なり、吐水ヘッド部３０に配置される静電検出領域３２４の静電容量を検出するための第１の静電検出回路８２ａと、受け部４０の静電検出領域４２４の静電容量を検出するための第２の静電検出回路８２ｂとを設けているので、吐水ヘッド部３０に配置される静電検出領域３２４に触れた場合であっても、受け部４０に配置される静電検出領域４２４に触れた場合であっても、確実にそれぞれに触れたことを判定することができる。
【０１１８】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【０１１９】
たとえば、この発明にかかる自動水栓装置１０は、受け部４０に配置される静電検出領域４２４のみ、静電検出回路８２は、静電検出用ケーブル８２０を介して電気的に接続されているが、これに限るものではなく、吐出ヘッド部３０に配置される静電検出領域３２４のみに、静電検出回路８２が静電検出用ケーブル８２０を介して電気的に接続されるようにしてもよい。
【０１２０】
また、この発明にかかる自動水栓装置１０において、吐水ヘッド部３０に配置される静電検出領域３２４および受け部４０に配置される静電検出領域４２４は、導電性を有する材料によるめっき処理を実施することにより形成されるが、これに限るものではない。
【０１２１】
さらに、図１５ａ、１５ｂ、図１８ａおよび図１８ｂに示す自動水栓本体２０Ｂ、２０Ｃは、絶縁部４３２、４３４は、受け部４０に静電検出領域４２４を設けないようにして形成されているが、これに限るものではなく、たとえば、受け用基部４４の前面４４０に別途、絶縁部４３２、４３４を部材として設けるようにしてもよい。また、ヘッド用基部３４の後端側に絶縁部４３２、４３４を部材として設けるようにしてもよい。
【０１２２】
さらにまた、この発明にかかる自動水栓装置１０は、非接触センサ４６４は吐出部３２０に近接して配置されているが、これに限るものではない。
【０１２３】
また、この発明にかかる自動水栓装置１０は、吐水ヘッド部３０側に雌嵌合部３４６を設け、受け部４０側に雄嵌合部４４２を設けているが、これに限るものではなく、吐水ヘッド部３０側に雄嵌合部４４２を設け、受け部４０側に雌嵌合部３４６を設けるようにしてもよい。
【産業上の利用可能性】
【０１２４】
この発明に係る自動水栓装置は、たとえば、洗面台等に配置される自動水栓装置において、連続吐水や物体検出時のみの吐水等を区別して好適に使用することができる。
【符号の説明】
【０１２５】
１０  自動水栓装置
２０  自動水栓本体
３０  吐水ヘッド部
３２  ヘッド用外形部材
３２０吐水部
３２０ａ  吐水用開口部
３２０ｂ  操作部材
３２０ｂ１  上側操作用筒部
３２０ｂ２  下側操作用筒部
３２０ｂ３  操作用突部
３２０ｃ  吐水口部材
３２０ｃ１  単一の吐水孔
３２０ｃ２  散水孔
３２２  把持部
３２２ａ  被挿入部
３２２ｂ  開口孔
３２４  静電検出領域
３４  ヘッド用基部
３４ａ  補強リブ
３４０  通水路案内部
３４０ａ  開口部
３４２  ホース保持部
３４４  接続部
３４４ａ  第１のフランジ
３４４ｂ  第２のフランジ
３４６  雌嵌合部
３４６ａ  凹部
３４６ｂ  雌セレーション部
４０  受け部
４２  受け用外形部材
４２０  受け本体部
４２０ａ  取付用孔
４２０ｂ  配線案内用孔
４２２  非接触センサ収容部
４２２ａ  センサ用開口部
４２４  静電検出領域
４２６  前面
４２６ａ  雄嵌合用開口部
４２８  非挿入部
４３０  下面
４３０ａ  取付用孔
４３０ｂ  配線案内部
４３２、４３４  絶縁部
４４  受け用基部
４４０  前面
４４２  雄嵌合部
４４２ａ  凸部
４４２ｂ  雄セレーション部
４４４  後面
４４４ａ  開口部
４４４ｂ  配線用開口部
４４４ｃ  配線案内溝
４４４ｄ  取付用孔
４４６  挿通孔
４４８  取付部材挿入用溝
４５０  保持部材用空間部
４５２  下面
４５２ａ  取付用孔
４６  非接触センサ保持部材
４６０  非接触センサ収納部
４６０ａ  センサ検出用窓部
４６２  センサ用ケーブル収納部４６２
４６２ａ  前側壁部
４６２ｂ  後側壁部
４６２ｃ  取付用孔
４６４  非接触センサ
５０  ホース
５２  引出判定部
５２０  ホール素子
５２２  マグネット
５４  電気接続部
５４０、５４２  コネクタ
６０  温度調整部
６２  本体部
６４  操作レバー
７０  配管部
７２  給水管
７３  給湯管
７４  混合弁
７６  吐水流路
７８  電磁弁
８０  制御基板
８２  静電検出回路
８２０  静電検出用ケーブル
８２ａ  第１の静電検出回路
８２ｂ  第２の静電検出回路
８２０ａ  第１の静電検出用ケーブル
８２０ｂ  第２の静電検出用ケーブル
８４  非接触検出回路
８４０  非接触センサ用ケーブル
８６  引出判定検出回路
８６０  引出判定用ケーブル
８８  制御マイコン
９０  電磁弁制御回路
Ｄ  間隔
Ａ1  吐水軸方向
Ａ2  検知軸方向
Ｔ1、Ｔ2    操作レバーの回転方向
Ｗ  壁
Ｓ１２、Ｓ１４  検出信号
Ｓ２０、Ｓ２２、Ｓ２４  出力信号
Ｓ３０、Ｓ４０  制御信号
【図１】
2019203258.tif 000003
【図２】
2019203258.tif 000004
【図３ａ】
2019203258.tif 000005
【図３ｂ】
2019203258.tif 000006
【図４ａ】
2019203258.tif 000007
【図４ｂ】
2019203258.tif 000008
【図５】
2019203258.tif 000009
【図６】
2019203258.tif 000010
【図７】
2019203258.tif 000011
【図８】
2019203258.tif 000012
【図９】
2019203258.tif 000013
【図１０】
2019203258.tif 000014
【図１１】
2019203258.tif 000015
【図１２ａ】
2019203258.tif 000016
【図１２ｂ】
2019203258.tif 000017
【図１３ａ】
2019203258.tif 000018
【図１３ｂ】
2019203258.tif 000019
【図１４】
2019203258.tif 000020
【図１５ａ】
2019203258.tif 000021
【図１５ｂ】
2019203258.tif 000022
【図１６】
2019203258.tif 000023
【図１７】
2019203258.tif 000024
【図１８ａ】
2019203258.tif 000025
【図１８ｂ】
2019203258.tif 000026
【図１９】
2019203258.tif 000027
【図２０】
2019203258.tif 000028